(57)【要約】      （修正有）【課題】植生に優れ、建造物自体に悪影響を与えることなく、断熱効果を得ることのできる壁面緑化材を提供すること。【解決手段】ステンレス鋼から成る鉄筋１１を含むＡＬＣパネルまたは発泡性セラミックス１２であって、前記ＡＬＣパネルまたは発泡性セラミックス１２の表面に凹凸を形成するとともに、裏面に止水部材１３を配設した。【選択図】図３
2006090017.tif 000002
【特許請求の範囲】
【請求項１】
平板状の多孔質材と、この多孔質材の裏面に配設された止水部材とから成り、
前記多孔質材の表面に凹凸を形成したことを特徴とする壁面緑化材。
【請求項２】
前記多孔質材は、ステンレス鋼から成る鉄筋を含むＡＬＣパネルであることを特徴とする請求項１に記載の壁面緑化材。
【請求項３】
前記多孔質材は、発泡性セラミックスであることを特徴とする請求項１に記載の壁面緑化材。
【請求項４】
前記多孔質材は、裏面に保水性部材を配設し、その外側に止水部材を配設したことを特徴とする請求項１〜３の何れか１に記載の壁面緑化材。
【請求項５】
前記保水性部材は、スポンジであることを特徴とする請求項４に記載の壁面緑化材。  
【請求項６】
前記保水性部材は、不織布であることを特徴とする請求項４に記載の壁面緑化材。  
【請求項７】
前記保水性部材は、織布であることを特徴とする請求項４に記載の壁面緑化材。
【請求項８】
表面に凹凸を形成するとともに、裏面に止水部材を配設した多孔質材を構造物の壁面に対して任意の角度で設置することを特徴とする壁面緑化工法。
【発明の詳細な説明】
【技術分野】
【０００１】
本発明は、ビルや家屋等の外壁に使用して、表面に小型植物や蔦類を植栽することのできる壁面緑化材および壁面緑化工法に関するものである。
【背景技術】
【０００２】
従来、壁面緑化材として種々のものが提案されている。例えば、特開平１０−３１３６９２号公報に開示された壁面緑化パネルは、保持体の下端の人工土壌を収納する収納体を設け、人工土壌で育てたつる植物を金網に沿って伸ばし、建物の壁面を覆うものである。また、特開２００２−９７６５３号公報に開示された壁面緑化用ユニットパネルは、植栽土壌基盤を枠体、底板、格子状押さえ材で保持して、壁面等に垂直に取り付けるものである。
【特許文献１】特開平１０−３１３６９２号公報
【特許文献２】特開２００２−９７６５３号公報
【発明の開示】
【発明が解決しようとする課題】
【０００３】
しかし、従来の特許文献１に開示された壁面緑化パネルでは、建造物の壁面を覆うのは金網と育成された植物であり、植物が均一に繁茂するのを期待することは困難である。したがって、確実な断熱効果を得るのは難しいものであった。
また、特許文献２に開示された壁面緑化用ユニットパネルは、植栽土壌基盤の周囲が枠体等で覆われているために、上に設置されたユニットパネルから流れ落ちた水分を下のユニットパネルで有効に利用することができないものであった。また、上から落下した種子や胞子を下のユニットパネルで利用することが困難であった。
【課題を解決するための手段】
【０００４】
前記目的を達成するために、請求項１に記載の発明は、平板状の多孔質材と、この多孔質材の裏面に配設された止水部材とから成り、前記多孔質材の表面に凹凸を形成したことを特徴としている。
【０００５】
また、請求項２に記載の発明において、前記多孔質材は、ステンレス鋼から成る鉄筋を含むＡＬＣ（Autoclaved Lightweight aerated Concrete panels）パネルであることを特徴としている。
【０００６】
また、請求項３に記載の発明において、前記多孔質材は、発泡性セラミックスであることを特徴とするものである。
【０００７】
また、請求項４に記載の発明において、前記多孔質材は、裏面に保水性部材を配設し、その外側に止水部材を配設したことを特徴とするものである。
【０００８】
また、請求項５に記載の発明において、前記保水性部材は、スポンジであることを特徴とするものである。
【０００９】
また、請求項６に記載の発明において、前記保水性部材は、不織布であることを特徴とするものである。
【００１０】
また、請求項７に記載の発明において、前記保水性部材は、織布であることを特徴とするものである。
【００１１】
また、請求項８に記載の発明は、表面に凹凸を形成するとともに、裏面に水部材を配設した多孔質材を構造物の壁面に対して任意の角度で設置することを特徴とするものである。
【発明の効果】
【００１２】
この発明は前記した構成からなるので、以下に説明するような効果を奏することができる。
【００１３】
請求項１に記載の発明では、平板状の多孔質材と、この多孔質材の裏面に配設された止水部材とから成り、前記多孔質材の表面に凹凸を形成したので、植物の根が張り易いとともに、多孔質材から水分が下に抜け難く、雨水の有効利用を図ることができる。また、植栽した植物を良好に育成することができる。
【００１４】
請求項２に記載の発明では、多孔質材は、ステンレス鋼から成る鉄筋を含むＡＬＣパネルであるので、ＡＬＣパネルが保水性を有するとともに止水部材により水分が下に抜け難く、雨水の有効利用を図ることができる。
【００１５】
請求項３に記載の発明では、前記多孔質材は、発泡性セラミックスであるので、発泡性セラミックスが保水性を有するとともに止水部材により水分が下に抜け難く、雨水の有効利用を図ることができる。
【００１６】
また、請求項４に記載の発明において、前記多孔質材は裏面に保水性部材を配設し、その外側に止水部材を配設したので、ＡＬＣパネルへの水分の保持を極めて効果的にすることができる。
【００１７】
また、請求項５に記載の発明において、前記保水性部材はスポンジであるので、水分を多量に保持することができる。
【００１８】
また、請求項６に記載の発明において、前記保水性部材は不織布であるので、ＡＬＣパネルへの水分の保持を極めて効果的にすることができる。
【００１９】
また、請求項７に記載の発明において、前記保水性部材は織布であるので、ＡＬＣパネルまたは多孔質材の底部に水分を保持することができる。又、止水部材によってＡＬＣパネルまたは多孔質材から水分が下に漏れるのを防止する事ができる。
【００２０】
また、請求項８に記載の発明は、表面に凹凸を形成するとともに、裏面に止水部材を配設した多孔質材を構造物の壁面に対して任意の角度で設置するので、植物から落下する種子や胞子が多孔質材上に残留し易く、植物の育成に適している。また、上に設置した多孔質材から落下した水滴が下端の多孔質材上に吸収されるので、水を有効に利用することができる。
【発明を実施するための最良の形態】
【００２１】
本発明は、ＡＬＣパネルまたは発泡性セラミックスの表面に植物の着根可能な凹凸を形成し、裏面に止水部材を配設したので、植物の根等が構造物自体へ悪影響を与えないとともに、断熱効果と保水効果に優れた壁面緑化材を実現した。
【実施例１】
【００２２】
以下、一実施の形態を示す図面に基づいて本発明を詳細に説明する。図１は本発明に係る壁面緑化材の一例を示す平面図、図２は本発明の壁面緑化材の鉄筋部を示す平面図、図３は本発明の壁面緑化材の鉄筋部を示す断面図である。ここで、壁面緑化材１０はステンレス鋼から成る鉄筋１１を含むＡＬＣパネルまたは発泡性セラミックス１２と、このＡＬＣパネルまたは発泡性セラミックス１２の裏面に配設された止水部材、例えば、止水シート１３とから成り、前記ＡＬＣパネルまたは発泡性セラミックス１２の表面に凹凸１４が形成されている。止水シート１３は、水を通さない合成樹脂製のシート部材であればよい。また、止水部材としては、他に金属製の薄板、合成樹脂製の薄板、その他、水を通過させない部材、塗装であればよい。
【００２３】
鉄筋１１は、水分の存在にも拘わらず錆の発生のないステンレス鋼を使用することができる。鉄筋１１は、縦横方向に夫々直交するように配置されている。また、この他に鉄に合成樹脂の皮膜を付加したもの、或いは、強化プラスチック（reinforced plastic）、エンジニアリングプラスチック（engineering plastics）等を使用することができる。
【００２４】
ＡＬＣパネルまたは発泡性セラミックス１２の表面に形成される凹凸１４は、図１に示すようにほぼ均一に配設されている。凹凸１４は、サンダー等で表面荒らし加工等により形成することができる。また、凹凸１４は、図４に示すように表面荒らし加工に加えて溝１５を形成してもよい。更に、ＡＬＣパネルまたは発泡性セラミックスは、裏面に保水性部材１６を配設し、その外側に止水部材１３を配設してもよい。保水性部材１６は、水分を保持することのできるものであればよく、天然繊維、合成繊維、スポンジ、織布、不織布等を使用することができる。
【００２５】
図５は本発明の壁面緑化材の凹凸部の一例を示す断面図である。本実施例では、ＡＬＣパネルまたは発泡性セラミックス１２の表面に溝１５のみを形成した例である。このように構成しても、植物の根を効果的に付着させることができる。図６は、本発明の壁面緑化材の別の実施例を示す平面図である。本実施例では、ＡＬＣパネルまたは発泡性セラミックス１２の表面に横溝１７を所定間隔で形成したものである。なお、横溝１７の間隔は、ランダムであってもよい。
【００２６】
図７は、本発明の壁面緑化材の別の実施例を示す平面図である。本実施例では、図示するようにＡＬＣパネルまたは発泡性セラミックス１２の表面に多角形状の凹部１８を形成したものである。なお、凹部１８の形状は、これに限ることなく、円、楕円、三角形等であってもよい。
【００２７】
このように構成した場合にも、壁面緑化材１０に効果的に植物を着根することができる。また、植物の根が建造物まで伸びることがないので、壁面等を傷める虞れがない。更に、壁面緑化材１０と建造物の間に空隙を設けることにより、断熱効果を高めることができ、太陽光や周囲の排出熱により建物が熱せられるのを防止できる。したがって、冷房等のエネルギーを節約することができる。
【００２８】
図８は、本発明の壁面緑化材の別の実施例を示す平面図である。本実施例では、図示するように植栽基盤であるＡＬＣパネルまたは発泡性セラミックス１２に直径３〜１０ｃｍの穴２３を１〜２５個形成し、この穴２３内にアクアブロック、ヤシ殻繊維、発泡性セラミックス等の保水材２４組み込んでいる。また、植栽基盤が発泡性セラミックスである場合には、この穴２３内にアクアブロック、ヤシ殻繊維、ＡＬＣ等の保水材２４組み込んでもよい。このように構成することにより、植栽基盤の保水性を更に向上することができる。
【００２９】
図９は本発明の壁面緑化材の施工状態の一例を示す説明図である。本実施例の壁面緑化工法は、以上のように構成された壁面緑化材１０を躯体１９の外側に所定の空隙２０を有してブラケット２１で取り付ける。また、図に示すように躯体壁面に対して任意の角度θで設置される。上下の壁面緑化材１０は、アングル鋼材２２によって接続される。壁面緑化材１０の取り付け角度θは、植栽する植物の種類や周囲の環境条件によって適宜決定する。
【００３０】
このような壁面緑化工法によれば、壁面緑化材１０が傾斜しているので、上に設置された壁面緑化材１０から落ちた種子や胞子が下の壁面緑化材１０に着床する確率が増して、植物の育成率を増加することができる。また、水分を上から順次下に伝わらせて有効に利用することができる。したがって、潅水のための手数を削減することができる。更に、躯体１９と壁面緑化材１０との間に空隙２０が形成されているので、断熱効果が増してヒートアイランド現象により建物の周囲の温度が上昇しても内部を涼しく保つことができる。
【図面の簡単な説明】
【００３１】
【図１】図１は、本発明に係る壁面緑化材の一例を示す平面図である。
【図２】図２は、同壁面緑化材の鉄筋部を示す平面図である。
【図３】図３は、同壁面緑化材の鉄筋部を示す断面図である。
【図４】図４は、同壁面緑化材の凹凸部の一例を示す断面図である。
【図５】図５は、同壁面緑化材の凹凸部の一例を示す断面図である。
【図６】図６は、同壁面緑化材の別の実施例を示す平面図である。
【図７】図７は、同壁面緑化材の別の実施例を示す平面図である。
【図８】図８は、同壁面緑化材の別の実施例を示す平面図である。
【図９】図９は、同壁面緑化材の施工状態の一例を示す説明図である。
【符号の説明】
【００３２】
１０      壁面緑化材
１１      鉄筋
１２      ＡＬＣパネルまたは発泡性セラミックス
１３      止水シート
１４      凹凸
１５      溝
１６      保水性部材
１７      横溝
１８      凹部
１９      躯体  
２０      空隙
２１      ブラケット
２２      アングル鋼材
２３      穴
２４      保水材
【図１】
2006090017.tif 000003
【図２】
2006090017.tif 000004
【図３】
2006090017.tif 000005
【図４】
2006090017.tif 000006
【図５】
2006090017.tif 000007
【図６】
2006090017.tif 000008
【図７】
2006090017.tif 000009
【図８】
2006090017.tif 000010
【図９】
2006090017.tif 000011